(57)【要約】 【課題】  磁気テープをガイドの周面から浮上させて走行させるエアガイドにおいて、磁気テープのエッジをエッジ位置規制部に接触させることなく、磁気テープのエッジ位置を安定に維持して走行させることができる磁気テープのガイド方式を提供すること。【解決手段】  磁気テープＴが架けられ浮上して走行するエアガイド１０の非多孔質ガイド１７Ｎの周面２６に間隔をテーパー状に広げて２本の切込み溝３２を形成する。走行する磁気テープＴの直下となっている切込み溝３２内へ空気吹込み機構３５の吹込み穴３６から空気を吹き込んで空気流Ｂを形成させる。切込み溝３２内の空気流Ｂの流速は磁気テープＴの表面側における空気流の流速より大であるから、切込み溝３２内は磁気テープＴの表面側より負圧となって磁気テープＴを切込み溝３２の方へ押す力Ｆを生じ、その力Ｆは走行中の磁気テープＴが幅方向へ移動することを防ぐ。【選択図】    図４
2007052822.tif 000002
【特許請求の範囲】
【請求項１】
磁気テープの走行路に配置され、前記磁気テープの幅より広い幅の周面を有する円筒状の多孔質ガイドまたは非多孔質ガイドに前記磁気テープが架けられ、前記多孔質ガイドまたは前記非多孔質ガイドの周面から吹き出す空気によって前記磁気テープを前記周面から浮上させて走行させる磁気テープのガイド方式において、
前記周面上の前記磁気テープの幅より狭い幅内に前記磁気テープの走行方向と同様な方向の単数または複数の円周溝が形成されている
ことを特徴とする磁気テープのガイド方式。
【請求項２】
磁気テープの走行路に配置され、前記磁気テープの幅より広い幅の周面を有する円筒状の多孔質ガイドまたは非多孔質ガイドに前記磁気テープが架けられ、前記多孔質ガイドまたは前記非多孔質ガイドの周面から吹き出す空気によって前記磁気テープを前記周面から浮上させて走行させる磁気テープのガイド方式において、
前記磁気テープと対向する周面部分の前記磁気テープの幅より狭い幅内に前記磁気テープの走行方向と同様な方向の単数または複数の切込み溝が形成されている
ことを特徴とする磁気テープのガイド方式。
【請求項３】
磁気テープの走行路に配置され、前記磁気テープの幅より広い架け幅を有する厚板状の多孔質ガイドまたは非多孔質ガイドに前記磁気テープが架けられ、前記厚板状の多孔質ガイドまたは多孔質ガイドの架け面から吹き出す空気によって前記磁気テープを前記架け面から浮上させて走行させる磁気テープのガイド方式において、
前記架け面の前記磁気テープの幅より狭い幅内に前記磁気テープの走行方向と同様な方向の単数または複数の切込み溝が形成されている
ことを特徴とする磁気テープのガイド方式。
【請求項４】
前記周面または前記架け面に形成された２本の前記切込み溝が、間隔を前記磁気テープの走行方向へ向かってテーパー状に広げられている
ことを特徴とする請求項１から請求項３までの何れかに記載の磁気テープのガイド方式。
【請求項５】
前記磁気テープの下方となっている前記円周溝内または前記切込み溝内へ前記磁気テープの走行方向と同方向または逆方向に空気を吹き込む空気吹込み機構が設けられている
ことを特徴とする請求項１から請求項４までの何れかに記載の磁気テープのガイド方式。
【請求項６】
前記空気吹込み機構のほかに、前記磁気テープの何れか一方のエッジの位置を検出するエッジ位置検出センサ、前記空気吹込み機構内の空気圧力の調整機構、および前記円周溝内または前記切込み溝内に形成される空気流の流量調整機構が設けられている
ことを特徴とする請求項５に記載の磁気テープのガイド方式。
【請求項７】
前記空気吹込み機構が設けられた位置との対称位置に、前記空気吹込み機構と形状が対称的な空気吹出し部が設けられている
ことを特徴とする請求項５または請求項６に記載の磁気テープのガイド方式。
【発明の詳細な説明】
【技術分野】
【０００１】
本発明は磁気テープのガイド方式に関するものであり、更に詳しくは、磁気テープの走行路に設けられ、磁気テープが架けられる架け面から吹き出す空気によって磁気テープを架け面から浮上させて走行させるタイプのエアガイドにおいて、磁気テープのエッジを位置規制部に当接させることなく位置決めして磁気テープを走行させる磁気テープのガイド方式に関するものである。
【背景技術】
【０００２】
従来、磁気テープの走行路に配置され磁気テープが架けられて走行する磁気テープの走行ガイドには、テープ面を支持する部分と、磁気テープのエッジ位置を規制する部分との両者を持つものが一般的である。そして、テープ面を支持する方式には
（ａ）走行する磁気テープをその架け面で摺動させる固定式のガイド
（ｂ）走行する磁気テープが架け面で摩擦やスリップを生じないように回転自在とした回転式のガイド
（ｃ）架け面から空気を吹き出し、磁気テープを浮上させた状態で走行させる固定式のガイド（エアガイド）
等がある。
【０００３】
図９は従来例の上記（ｃ）方式のエアガイドを示す図であり、図９−Ａはエアガイド５０の斜視図、図９−Ｂは同エアガイド５０の分解斜視図である。すなわち、エアガイド５０は磁気テープＴが架けられるガイド５７の周面６６から吹き出す空気によって磁気テープＴを周面６６から浮上させて走行させる。図９−Ｂに示すように、エアガイド５０は内部に空気供給穴５１を持つ大径のベース部５２と、ベース部５２と一体的に形成され、空気供給穴５１の両側方への開口５３とネジ穴５４が設けられた小径のガイド挿入部５５とからなるガイドベース５６、ガイド挿入部５５との間に隙間をあけて上方から外挿され、磁気テープの幅より広い架け幅（図９−Ａ、図９−Ｂにおいては高さ）を有する円筒状のガイド５７、およびネジ穴５４への取付けネジ５８を有するガイド押さえ５９とからなり、ベース部５２の底面側から空気供給穴５１を通って送られる空気は、ガイド挿入部１５の空気供給穴１１の開口１３を経由してガイド５７へ供給される。なお後述するように、ガイド５７には、多孔質材料からなる多孔質ガイド５７Ｐと、非多孔質材料からなる非多孔質ガイド５７Ｎとが存在する。
【０００４】
図１０は上記の多孔質ガイド５７Ｐと非多孔質ガイド５７Ｎを示す図であり、図１０−Ａは多孔質ガイド５７Ｐの断面図、図１０−Ｂは非多孔質ガイド５７Ｎの断面図である。何れの図も多孔質ガイド５７Ｐ部分または非多孔質ガイド５７Ｎ部分のみを実線で示し、それ以外の部分は一点鎖線で示している。図１０−Ａの多孔質ガイド５７Ｐは、ガイド挿入部５５へ上方から隙間Ｇをあけて外挿される円筒状のものであり多孔質材料からなっている。ここに言う多孔質材料とは、金属の微粒子またはセラミックスの微粒子を、内部に微細な多数の連通孔が形成されるように焼結させて成形されたものである。 図１０−Ａに示すようにベース部５２とガイド挿入部５５を貫通して設けられた空気供給穴５１へ底部から供給される空気は、空気供給穴５１の上端から横向きに形成されている開口１３から隙間Ｇを経由し、多孔質ガイド１７Ｐの内部に形成されている多数の微細な連通孔を経て周面６６の全体から一様に吹き出す。従って多孔質ガイド１７Ｐの周面６６に架けられた断面で示す磁気テープＴは、図１０−Ａでは誇張して示しているが、周面６６から浮上して、すなわち、周面６６とは非接触で走行する。
【０００５】
また、図１０−Ｂの非多孔質ガイド５７Ｎも同様にガイド挿入部５５へ上方から隙間Ｇをあけて外挿される円筒状のものであるが、金属またはセラミックスのブロックのような非多孔質材料からなっている。そのために円筒状の非多孔質ガイド５７Ｎの内周面から外側の周面６６に貫通する複数の横穴６７が設けられており、ベース部５２とガイド挿入部５５を貫通して設けられた空気供給穴５１へ底部から供給される空気は空気供給穴５１の上端から横向きに形成されている開口１３から隙間Ｇを経由し、非多孔質ガイド５７Ｎの横穴６７から周面６６側へ吹き出す。従って、周面６６に架けられた断面で示す磁気テープＴは非多孔質ガイド５７Ｎの周面６６から浮上して走行する。図１０−Ｂにおいても、磁気テープＴの浮上の状態は誇張して示している。なお、磁気テープＴは正常な走行状態において両エッジが、エッジ位置規制部であるガイド押さえ５９の下面６３、およびベース部５２の上面６４とは接触しないように、多孔質ガイド１７Ｐおよび非多孔質ガイド５７Ｎの何れも、周面６６の架け幅は磁気テープＴの幅より大とされている。
【０００６】
図９および図１０に示したように、上記（ｃ）に記載のエアガイド方式のガイドは、磁気テープが非接触でガイドされて走行することから、（ａ）の固定式のガイドで問題となるガイドと磁気テープとの摩擦や、（ｂ）の回転式のガイドにおける内部のボールベアリング等の摩擦による機械的ロスが無いので、走行時における磁気テープのダメージの防止や、磁気テープにかかる張力の安定化等の面で極めて有効な支持方式である。しかながら、図１０−Ａにおいて多孔質ガイド１７Ｐの周面を浮上して走行する磁気テープＴは、例えば張力が変動した場合に上下方向へ移動するが、その移動を抑制する機構を備えていないために、例えば、磁気テープＴは下側のエッジをベース部５２の上面６４に接して走行するようになり、エッジが損傷を受けるような問題がある。このことは図１０−Ｂにおける磁気テープＴにおいても同様である。
【０００７】
上記（ｃ）のエアガイド方式についての先行技術として、例えば、磁気テープを架ける部分に、閉ループ状の溝を形成し、当該溝内に加圧空気を導く複数の給気孔を開口し、溝内に供給する加圧空気によって磁気テープを支持するようにしたテープ支持案内機構が開示されている（特許文献１を参照）。また、磁気テープの走行路中に設けたテープ案内部材の内部に加圧空気の供給手段と、供給する加圧空気の流量を制御する流量制御手段を備えた磁気テープ浮上走行装置が開示されている（特許文献２を参照）。そのほか、空気吹き出し細穴を外周面に備えた固定ポストと、この固定ポストの外周に隙間をあけて回転自在に外嵌され、かつ複数の通気細穴を外周面に設けたガイドローラを有するタイプのテープガイド装置が提案されている（特許文献３を参照）。
【０００８】
【特許文献１】特公昭５７−５３２５７号公報
【特許文献２】特開平０２−１７７０４９号公報
【特許文献３】特開昭５９−７４８５０号公報
【発明の開示】
【発明が解決しようとする課題】
【０００９】
しかしながら、特許文献１のテープ支持案内機構では、その明細書の第３図に示されているように、磁気テープ２は支持円筒１から浮上して走行するが、磁気テープ２は一方のエッジを基準面６に当接させ、他方のエッジは弾力的に押す板バネ７で押圧されており、磁気テープ２のエッジは機械的な損傷を受けやすい構成となっている。また特許文献２の磁気テープ浮上走行装置では、その明細書の第４図に示されているように、磁気テープ２１は下ドラム２２と上ドラム２３との周面から浮上して走行するが、磁気テープ２１の下方のエッジは下ドラム２２のリード部２２ｂに接して走行しており、下方のエッジが機械的な損傷を受けやすい構成となっている。更には特許文献３のテープガイド装置は、その明細書の第３図に示されているように、磁気テープ１が固定ポスト４の外周に回転自在に外嵌された回転するガイドローラ５との間に吹き出される空気によってガイドローラ５の面から浮上して走行するものである。そして、同第３図において、磁気テープ１の上下のエッジはガイドローラ５の上下のフランジ部と間隔をあけて示されているが、磁気テープ１をそのような位置に位置決めして走行させる手段については何等説明されてない。
【００１０】
本発明は上述の問題に鑑みてなされ、磁気テープをガイドの架け面から浮上させて走行させるエアガイド方式において、磁気テープのエッジがエッジ位置規制部と接触して走行することによる損傷を受けることがないように、エッジ位置を安定に維持して走行することを可能ならしめる磁気テープのガイド方式を提供することを課題とする。
【課題を解決するための手段】
【００１１】
上記の課題は請求項１、請求項２、または請求項３の構成によって解決されるが、その解決手段を説明すれば次の如くである。
【００１２】
請求項１の磁気テープのガイド方式は、磁気テープの走行路に配置され、前記磁気テープの幅より広い幅の周面を有する円筒状の多孔質ガイドまたは非多孔質ガイドに前記磁気テープが架けられ、前記多孔質ガイドまたは前記非多孔質ガイドの周面から吹き出す空気によって前記磁気テープを前記周面から浮上させて走行させる磁気テープのガイド方式において、前記周面上の前記磁気テープの幅より狭い幅内に前記磁気テープの走行方向と同様な方向の単数または複数の円周溝が形成されているガイド方式である。
【００１３】
このような磁気テープのガイド方式は、多孔質ガイドまたは非多孔質ガイドの周面から吹き出す空気によって磁気テープは周面から浮上し、形成されている円周溝の直上方を覆って走行するが、その走行時に円周溝内で磁気テープの下方となっている部分に磁気テープの走行方向と同方向の空気流を生じ、その空気流の流速は磁気テープの上面側に生ずる空気流の流速と比較して大であることから、磁気テープを円周溝側または切込み溝側へ押す力が生じ、走行中の磁気テープのエッジ位置を安定化させる。
【００１４】
請求項２の磁気テープのガイド方式は、磁気テープの走行路に配置され、前記磁気テープの幅より広い幅の周面を有する円筒状の多孔質ガイドまたは非多孔質ガイドに前記磁気テープが架けられ、前記多孔質ガイドまたは前記非多孔質ガイドの周面から吹き出す空気によって前記磁気テープを前記周面から浮上させて走行させる磁気テープのガイド方式において、前記磁気テープと対向する周面部分の前記磁気テープの幅より狭い幅内に前記磁気テープの走行方向と同様な方向の単数または複数の切込み溝が形成されているガイド方式である。
【００１５】
このような磁気テープのガイド方式は、多孔質ガイドまたは非多孔質ガイドの周面から吹き出す空気によって磁気テープは周面から浮上し、形成されている切込み溝の直上方を覆って走行するが、その走行時に切込み溝内で磁気テープの下方となっている部分に磁気テープの走行方向と同方向の空気流を生じ、その空気流の流速は磁気テープの上面側に生ずる空気流の流速と比較して大であることから、磁気テープを円周溝側または切込み溝側へ押す力が生じ、走行中の磁気テープのエッジ位置を安定化させる。
【００１６】
請求項３の磁気テープのガイド方式は、磁気テープの走行路に配置され、前記磁気テープの幅より広い架け幅を有する厚板状の多孔質ガイドまたは非多孔質ガイドに前記磁気テープが架けられ、前記厚板状の多孔質ガイドまたは多孔質ガイドの架け面から吹き出す空気によって前記磁気テープを前記架け面から浮上させて走行させる磁気テープのガイド方式において、前記架け面の前記磁気テープの幅より狭い幅内に前記磁気テープの走行方向
と同様な方向の単数または複数の切込み溝が形成されているガイド方式である。
【００１７】
このような磁気テープのガイド方式は、厚板状の多孔質ガイドまたは非多孔質ガイドの架け面から吹き出す空気によって磁気テープは架け周面から浮上し、形成されている切込み溝の直上方を覆って走行するが、その走行に伴って切込み溝内に磁気テープの走行方向と同方向の空気流を生じて磁気テープを切込み溝の方へ押す力を生ずる。そして厚板状の多孔質ガイドまたは非多孔質ガイドの架け面に形成させる切込み溝の長さは円筒状の多孔質ガイドまたは非多孔質ガイドの周面に形成される切込み溝の長さより大であり、その全長にわたって磁気テープを切込み溝側へ押す力を生ずるので、走行中の磁気テープのエッジ位置を格段に安定化させる。
【００１８】
請求項４の磁気テープのガイド方式は、前記周面または前記架け面に形成された２本の前記切込み溝が、間隔を前記磁気テープの走行方向へ向かってテーパー状に広げられているガイド方式である。
【００１９】
このような磁気テープのガイド方式は、２本の切込み溝の間隔が磁気テープの走行方向へ向かってテーパー状に広げられていることにより、磁気テープのエッジ位置を安定化させる力のほか、磁気テープを中央部から両エッジ側へ押し広げるような力も働く。
【００２０】
請求項５の磁気テープのガイド方式は、前記磁気テープの下方となっている前記円周溝内または前記切込み溝内へ前記磁気テープの走行方向と同方向または逆方向に空気を吹き込む空気吹込み機構が設けられているガイド方式である。
【００２１】
このような磁気テープのガイド方式は、多孔質ガイドまたは非多孔質ガイドの周面から吹き出す空気によって磁気テープは周面から浮上し、周面に形成されている円周溝または切込み溝の直上方を覆って走行するが、その走行時に円周溝内または切込み溝内で磁気テープの下方となっている部分へ磁気テープの走行方向と同方向または逆方向に空気を吹き込んで強制的に形成させる空気流の流速は磁気テープの上面側に生ずる空気流の流速と比較して遥かに大であることから、磁気テープを円周溝側または切込み溝側へ押す大きい力が生じ、走行中の磁気テープのエッジ位置を極めて安定化させる。  
【００２２】
請求項６の磁気テープのガイド方式は、前記空気吹込み機構のほかに、前記磁気テープの何れか一方のエッジの位置を検出するエッジ位置検出センサ、前記空気吹込み機構内の空気圧力の調整機構、および前記円周溝内または前記切込み溝内に形成される空気流の流量調整機構が設けられているガイド方式である。
【００２３】
このような磁気テープのガイド方式は、多孔質ガイドまたは非多孔質ガイドの周面に形成された円周溝内または切込み溝内で磁気テープの下方となっている部分へ空気を吹き込むと共に、エッジ位置検出センサによって磁気テープのエッジ位置を検出し、そのエッジ位置信号に基づいて溝内へ空気を吹き込む空気吹込み機構内の空気圧力および形成される空気流の流量を調整して溝内の空気の流速を制御することにより磁気テープのエッジ位置を緻密に制御することができる。
【００２４】
請求項７の磁気テープのガイド方式は、前記空気吹込み機構が設けられた位置との対称位置に、前記空気吹込み機構と形状が対称的な空気吹出し部が設けられているガイド方式である。
【００２５】
このような磁気テープのガイド方式は、円柱状の多孔質ガイドまたは非多孔室ガイドを中央にして空気の吹込側と吸入側とで空気流の流路が対称な形状となり、形成される空気流が整流に近づく。
【発明の効果】
【００２６】
請求項１の磁気テープのガイド方式によれば、磁気テープを多孔質ガイドまたは非多孔質ガイドの周面から浮上させて走行させるので磁気テープとガイドとの摩擦による磁気テープの張力変動を発生せず張力を安定化させるほか、磁気テープの走行時に、多孔質ガイドまたは非多孔質ガイドの周面の円周溝内で磁気テープの下方となっている部分に生じる磁気テープの走行方向と同方向の空気流の流速は磁気テープの上面側に生ずる空気流の流速と比較して大であり、円周溝内は磁気テープの上面側と比して負圧になることから、磁気テープを円周溝の方へ押す力を生じ、走行中の磁気テープのエッジ位置を安定化させるので、磁気テープが走行中に幅方向へ移動して磁気テープのエッジが多孔質ガイドまたは非多孔質ガイドにおけるエッジ位置規制部と接触して走行することによる損傷を回避することができる。
【００２７】
請求項２の磁気テープのガイド方式によれば、磁気テープを多孔質ガイドまたは非多孔質ガイドの周面から浮上させて走行させるので磁気テープとガイドとの摩擦による磁気テープの張力変動を発生せず張力を安定化させるほか、磁気テープの走行時に、多孔質ガイドまたは非多孔質ガイドの周面の切込み溝内で磁気テープの下方となっている部分に生じる磁気テープの走行方向と同方向の空気流の流速は磁気テープの上面側に生ずる空気流の流速と比較して大であり、切込み溝内は磁気テープの上面側と比して負圧になることから、磁気テープを切込み溝の方へ押す力を生じ、走行中の磁気テープのエッジ位置を安定化させるので、磁気テープが走行中に幅方向へ移動して磁気テープのエッジが多孔質ガイドまたは非多孔質ガイドにおけるエッジ位置規制部と接触して走行することによる損傷を回避することができる。
【００２８】
請求項３の磁気テープのガイド方式によれば、厚板状の多孔質ガイドまたは非多孔質ガイドの架け面から吹き出す空気によって磁気テープは架け面から浮上し、形成されている切込み溝の直上方を覆って走行するが、その走行時に切込み溝内に磁気テープの走行方向と同方向の空気流を生じるほか、切込み溝の深さが同一である長さが円筒状の多孔質ガイドまたは非多孔質ガイドの周面に形成される切込み溝より大であり、その切込み溝の全長に亘って磁気テープを切込み溝側へ押す力が生じ、走行中の磁気テープのエッジ位置を格段に安定化させる。
【００２９】
請求項４の磁気テープのガイド方式によれば、円柱状の多孔質ガイドまたは非多孔質ガイドの周面、もしくは厚板状の多孔質ガイドまたは非多孔質ガイドの架け面に形成されてなる２本の切込み溝が間隔を磁気テープの走行方向へ向かってテーパー状に広げられているので、磁気テープを切込み溝側へ押す力を生じて磁気テープのエッジ位置を安定させるほか、磁気テープの中央部から両エッジ側へ押し広げるような力も働き、磁気テープを幅方向に平坦化させ磁気テープのエッジ位置を効果的に安定化させる。
【００３０】
請求項５の磁気テープのガイド方式によれば、磁気テープを多孔質ガイドまたは非多孔質ガイドの周面から浮上させて走行させるので磁気テープとガイドとの摩擦による磁気テープの張力変動を発生せず張力を安定化させるほか、磁気テープの走行時に、多孔質ガイドまたは非多孔質ガイドの周面の円周溝内または切込み溝内で磁気テープの下方となっている部分へ空気を吹き込んで強制的に形成させる空気流の流速は磁気テープの上面側に生ずる空気流の流速と比較して格段に大であり、円周溝内または切込み溝内は磁気テープの上面側に比して格段に大きい負圧となることから、円周溝内または切込み溝内へ空気を吹き込まない場合と比較して、磁気テープを円周溝または切込み溝の方へ押す大きい力を生じ、走行中の磁気テープのエッジ位置を一層安定化させるので、磁気テープが走行中に幅方向へ移動して磁気テープのエッジが多孔質ガイドにおけるエッジ位置規制部と接触して走行することによる損傷を確実に回避することができる。
【００３１】
請求項６の磁気テープのガイド方式によれば、多孔質ガイドまたは非多孔質ガイドの周面に形成された円周溝内または切込み溝内で磁気テープの下方となっている部分へ空気を吹き込むと共に、エッジ位置検出センサによって検出したエッジ位置信号に基づいて、溝内へ吹き込む空気吹込み機構内の空気圧力および形成される空気流の流量を調整し、溝内の空気流の流速を制御して磁気テープのエッジ位置を緻密に制御することができるので、走行中の磁気テープのエッジ位置を高い精度で安定化させることができる。
【００３２】
請求項７の磁気テープのガイド方式によれば、円柱状の多孔質ガイドまたは非多孔室ガイドを中央にして設けられた空気吹込み機構および空気吹出し部と磁気テープとの間の空気流の流路が対称な形状となり、形成される空気流が整流に近づくので、磁気テープを円周溝または切込み溝の方へ押す力が流路方向に均等化され、磁気テープのエッジ位置の格段に安定化させる。
【発明を実施するための最良の形態】
【００３３】
本発明の磁気テープのガイド方式は、上述したように、磁気テープの走行路に配置され、磁気テープの幅より広い幅の周面を有する円筒状の多孔質ガイドまたは非多孔質ガイドに磁気テープが架けられ、多孔質ガイドまたは非多孔質ガイドの周面から吹き出す空気によって磁気テープを周面から浮上させて走行させる磁気テープのガイド方式において、周面上の磁気テープの幅より狭い幅内に磁気テープの走行方向と同様な方向の単数または複数の円周溝が形成されているガイド方式である。
【００３４】
または、磁気テープの走行路に配置され、磁気テープの幅より広い幅の周面を有する円筒状の多孔質ガイドまたは非多孔質ガイドに磁気テープが架けられ、多孔質ガイドまたは非多孔質ガイドの周面から吹き出す空気によって磁気テープを周面から浮上させて走行させる磁気テープのガイド方式において、磁気テープと対向する周面部分の磁気テープの幅より狭い幅内に磁気テープの走行方向と同様な方向の単数または複数の切込み溝が形成されているガイド方式である。
【００３５】
更にはまた、磁気テープの走行路に配置され、前記磁気テープの幅より広い架け幅を有する厚板状の多孔質ガイドまたは非多孔質ガイドに前記磁気テープが架けられ、前記厚板状の多孔質ガイドまたは多孔質ガイドの架け面から吹き出す空気によって前記磁気テープを前記架け面から浮上させて走行させる磁気テープのガイド方式において、前記架け面の前記磁気テープの走行方向の両端間の前記磁気テープの幅より狭い幅内に単数または複数の切込み溝が形成されているガイド方式である。
【００３６】
円筒状の多孔質ガイドまたは非多孔質ガイドの周面に架けられた磁気テープは、周面から吹き出す空気によって周面から浮上し、円周溝または切込み溝の直上方を覆って走行するが、この時、円周溝内または切込み溝内で磁気テープの下方となっている部分には、 磁気テープの走行方向と同一方向の空気流を生ずる。この空気流の流速は磁気テープの上面側に生ずる空気流の流速より大であることにより、円周溝内または切込み溝内は磁気テープの上面側より負圧となるので、磁気テープを空気流の流速が大である方へ移動させる力、すなわち、磁気テープを円周溝または切込み溝の方へ押す力が発生し、走行中の磁気テープが幅方向へ移動することを防ぐ。従って、磁気テープはそのエッジをエッジ位置規制部に接触させることなく走行し、エッジ部が損傷することを防ぎ得るのである。上記において、磁気テープを空気流の流速が大である方へ押す力は、翼に発生する揚力と同様な力であると考えられる。
【００３７】
上記は多孔質ガイドまたは非多孔質ガイドが円筒状である場合であるが、多孔質ガイドまたは非多孔質ガイドは厚板状であってもよい。厚板状の多孔質ガイドまたは非多孔質ガイドにおいて磁気テープの走行方向の両端間に形成される切込み溝は、円筒状の多孔質ガイドまたは非多孔質ガイドの周面に形成する切込み溝と比較して、磁気テープの下方において溝の深さが一定である部分の長さが大であり、かつ切込み溝の断面形状を一定にすることができるので、溝内に形成させる空気流は整流となり、磁気テープを切込み溝側へ押す力が切込み溝の長さ方向に均等化される。
【００３８】
切込み溝において、円筒状の多孔質ガイドまたは非多孔質ガイドの磁気テープと対向する周面部分において磁気テープの幅内に、すなわち両エッジよりも内側となる箇所にそれぞれ切込溝を設ける場合に、２本の切込み溝が間隔を磁気テープの走行方向へ向かってテーパー状に広げたものとして、２本の切込み溝内へ磁気テープの走行方向と同様な方向の空気流を形成させることにより、磁気テープを切込み溝側へ押す力のほかに、磁気テープを中央部から両エッジ側へ押し広げるような力を生ずる。
【００３９】
上記は磁気テープの走行に伴って円周溝内または切込み溝内に自然発生的に生ずる空気流によって、走行中の磁気テープの幅方向への移動を回避する場合であるが、円周溝内または切込み溝内の磁気テープの下方となっている部分に空気吹込み機構から空気を吹き込んで強制的に空気流を形成させてもよい。この場合に形成させる空気流の方向は磁気テープの走行方向と同方向であってもよく、また逆方向であってもよい。
【００４０】
更には、上記空気吹込み機構のほかに、走行する磁気テープの何れか一方のエッジの位置を検出するエッジ位置検出センサ、空気吹込み機構内の空気圧力の調整機構、および円周溝内または切込み溝内に形成される空気流の流量調整機構を設け、エッジ位置センサによるエッジ位置信号に基づいて、空気吹込み機構内の空気圧力および溝内に形成される空気流の流量を調整して、溝内の空気流の流速を制御することにより走行中の磁気テープのエッジ位置を安定化させるようにしてもよい。また、上記段落［００３８］に記載のテーパー状に広げられた溝のそれぞれの空気の流量・圧力を独立して調整し、テープのエッジを任意の位置に位置決めすることも可能である。
【実施例１】
【００４１】
図１は実施例１による磁気テープのガイド方式を示す図であり、図１−Ａは円筒状の非多孔質ガイド１７Ｎの周面２６に円周溝３１が形成されたエアガイド１０の側面図、図１−Ｂは図１−Ａにおける非多孔質ガイド１７Ｎの部分を拡大して示す斜視図である。図１−Ａおよび図１−Ｂに示すように、また、従来例の図９も参照して、エアガイド１０はベース部１２と、ベース部１２と一体的であるが図１−Ａおよび図１−Ｂでは隠れているガイド挿入部に対して外挿されている非多孔質ガイド１７Ｎと、非多孔質ガイド１７Ｎを固定するために、ガイド挿入部のネジ穴に、取付ネジが螺着されているガイド押さえ１９とからなる。そして、非多孔質ガイド１７Ｎの周面２６には、その幅（図１−Ａおよび図１−Ｂにおいて高さ方向）の中央部に、磁気テープＴの走行方向と同様な方向に１本の円周溝３１が形成されている。
【００４２】
図１−Ｂに示すように、磁気テープＴは磁気テープＴの幅より広い架け幅を有する非多孔質ガイド１７Ｎの周面２６に架けられ、周面２６から吹き出される空気によって周面２６から浮上した状態で、矢印ｔで示す方向へ走行する。そして，非多孔質ガイド１７Ｎを円周溝３１に沿って切断した横断面図である図２を参照し、磁気テープＴの走行に伴って円周溝３１内の磁気テープＴの下方となる部分には、磁気テープＴの走行方向と同方向に流れる空気流Ａを生ずる。なお、磁気テープＴの浮上距離は小さいので、図２においては、非多孔質ガイド１７Ｎと磁気テープＴは恰も接触しているように描かれている。そして、円周溝３１内の上記空気流Ａの流速は磁気テープＴの表面側に生ずる空気流の流速よりも大となるので、円周溝３１内は磁気テープＴの表面側よりも負圧となり、磁気テープＴを円周溝３１の方へ押す力Ｆ1 が発生する。従って、走行中の磁気テープＴは幅方向への移動（図１−Ｂにおいて上下方向の移動）が抑制され、磁気テープＴがそのエッジをエッジ位置規制部、すなわち、図１−Ａに示すベース部１２の上面２４やガイド押さえ１９の下面２３に接触させて走行しエッジを損傷するような事態を防ぐことができる。
【００４３】
実施例１においては、非多孔質ガイド１７Ｎの周面に１本の円周溝３１が形成されている場合を説明したが、周面２６の磁気テープＴの両エッジ内に対応する部分に複数本の円周溝３１が形成されていてもよい。そのほか、磁気テープＴと対向する周面部分の磁気テープＴの幅内に対応する部分に単数または複数の切込み溝３２を設けてもよい。図３は、多孔質ガイド１７Ｐまたは非多孔質ガイド１７Ｎをガイド１７として示し、そのガイド１７の周面に形成された円周溝３１または切込み溝３２を例示する斜視図である。すなわち、図３−Ａ、−Ｂ、−Ｃは、ガイド１７の周面にそれぞれ１本、２本、または３本の円周溝３１を形成したエアガイドを示す斜視図であり、図３−Ｄ、−Ｅは、ガイド１７の周面にそれぞれ平行な２本の切込み溝３２、または磁気テープＴの走行方向へ向かって間隔をテーパー状に広げて形成した２本の切込み溝３２を示す。
【実施例２】
【００４４】
図４は実施例２による磁気テープのガイド方式を示す図であり、円筒状の非多孔質ガイド１７Ｎの周面２６に磁気テープＴの走行方向へ向かって間隔をテーパー状に広げて２本の切込み溝３２が形成されたエアガイド２０の上半部を示す斜視図、図５は非多孔質ガイド１７Ｎの横断面図である。図４のエアガイド２０において、実施例１の図１−Ｂに示したエアガイド１０と共通する構成要素には同一の符号を付したので、それらの説明は省略する。
【００４５】
図４のエアガイド２０が図１−Ｂのエアガイド１０と異なる点は、非多孔質ガイド１７Ｎの磁気テープＴと対向する周面部分に、磁気テープＴの走行方向へ向かって間隔を広げた２本の切込み溝３２が形成されており、かつ切込み溝３２内へ空気を吹き込む空気吹き込み機構３５が設けられていることにある。２本の切込み溝３２は何れも磁気テープＴと対向する周面２６上の磁気テープＴの幅内、すなわち磁気テープＴの両エッジの内側に対応する箇所に形成されている。また空気吹込み機構３５は、図４に示すように、磁気テープＴの走行に支障とならない形状として設けられており、空気吹込み機構３５の切込み溝３２側の先端には２本の切込み溝３２内へそれぞれ空気を吹き込むための空気吹込み孔３６が開口されている。
【００４６】
図４に示すように、磁気テープＴは磁気テープＴの幅より広い架け幅を有する非多孔質ガイド１７Ｎの周面２６に架けられ周面２６から吹き出される空気によって周面２６から浮上し、矢印ｔで示す方向へ走行する。そして、切込み溝３２内を通る水平な面で切断した非多孔質ガイド１７Ｎの横断面図である図５を参照して、非多孔質ガイド１７Ｎと    導入側の磁気テープＴとの間には、磁気テープＴの走行に支障とならないような形状の空気吹き込み機構３５が設けられており、その先端は切込み溝３２に近接する位置まで延在されている。磁気テープＴの走行時に空気吹き込み機構３５の先端の空気吹込み孔３６から切込み溝３２へ空気が吹き込まれることにより、磁気テープＴの下方となっている切込み溝３２内に強制的な空気流Ｂが形成される。この空気流Ｂの流速は実施例１における自然発生的な空気流Ａの流速よりも遥かに大であるから、切込み溝３２内の負圧も遥かに大となり、それに伴って磁気テープＴを切込み溝３２の方へ押す力Ｆ2 も遥かに大となる。
【００４７】
加えて２本の切込み溝３２は磁気テープＴの走行方向へ向かって間隔がテーパー状に広げられているので、磁気テープＴを押す力Ｆ2 は磁気テープＴの中央部からエッジ側へ押し広げるような力も働くことから、非多孔質ガイド１７Ｎの周面２６に対して磁気テープＴを平坦化させて、磁気テープのエッジ位置を効果的に安定化させる。従って、磁気テープＴがそのエッジをエッジ位置規制部に接触させて走行してエッジを損傷するような事態を確実に防ぐことができる
【００４８】
なお、図５において一点鎖線で示したように、空気吹き込み機構３５と対称となる位置に、形状的にも空気吹き込み機構３５と対称で複数の吸入口３９を有する空気吹出し部３７を設けて、切込み溝３２内へ吹き込んだ空気を吸入するようにしてもよい。このような空気吹出し部３７を設けることにより、切込み溝３２を中央にして設けられた空気吹込み機構３５および空気吹出し部３７と、それらに沿って走行する磁気テープＴとの間の空気の流路が対称な形状となり、形成される空気流が近似的な整流になるので、磁気テープＴを切込み溝３２の方へ押す力が空気路の始端側から終端側までの間でほぼ均等化され、磁気テープのエッジ位置の格段に安定化させる。
【実施例３】
【００４９】
図６は実施例３による磁気テープのガイド方式を示す図であり、実施例２の図４に示したエアガイド２０とほぼ同様に構成されたエアガイド３０が使用されている。従って図６に示したエアガイド３０の構成要素のうち、図４のエアガイド２０と共通する構成要素にはエアガイド２０と同じ符号を付しており、それらについての説明は省略する。図６に示したエアガイド３０が図４のエアガイド２０と異なるところは、エアガイド３０に近接した位置に、走行する磁気テープＴの図６において下側となっているエッジ位置、すなわち非多孔質ガイド１７Ｎの周面２６における磁気テープＴのエッジ位置と見なされるエッジ位置を検出するエッジ位置検出センサ４１が設けられているほか、図示を省略したが、切込み溝３２内へ空気を吹き込む空気吹込み機構３５内の圧力を調整する圧力調整装置と、切込み溝３２内に生ずる空気流の流量を調整するフロー・コントローラとが設けられていることにある。
【００５０】
そして、エッジ位置検出センサ４１からのエッジ位置信号に基づいて、空気吹込み機構３５内の空気の圧力、および切込み溝３２内の空気の流量を調整して、切込み溝３２内の空気流Ｂの流速を制御することにより、磁気テープのエッジ位置を緻密に制御することができるので、実施例３のエアガイド３０を使用することにより、走行中の磁気テープＴのエッジ位置を高い精度で安定化させることができる。
【実施例４】
【００５１】
図７は実施例４による磁気テープのガイド方式を示す斜視図であり、図７におけるエアガイド４０は、ベース部４２と、ベース部４２に一体的に取り付けられ、ベース部４２との間に多孔質ガイド４７Ｐを挟持する挟持部４９ｓを備えたガイド押さえ４９とからなっている。そして、図示せずともベース部４２の底部からベース部４２およびガイド押さえ４９の内部を貫通する空気供給穴から厚板状の多孔質ガイド４７Ｐの裏面側へ空気が供給され、多孔質ガイド４７Ｐの表面側の架け面４８の全面から空気が吹き出されるようになっている。そして、磁気テープＴの幅より大である架け面４８の幅の中央部に磁気テープＴの走行方向の両端間に切込み溝３３が形成されている。
【００５２】
図７に示すように、磁気テープＴは、磁気テープＴの幅より広い架け幅を有する厚板状の多孔質ガイド４７Ｐの架け面４８に架けられ、その全面から吹き出される空気によって架け面４８から浮上し、矢印ｔで示す方向へ走行する。この時、磁気テープＴの下方となっている切込み溝３３内には磁気テープＴの走行に伴って磁気テープＴの走行方向と同方向に流れる空気流Ａを生じる。この空気流Ａの流速は磁気テープＴの表面側に生ずる空気流の流速より大となるので、切込み溝３３内は磁気テープＴの表面側よりも負圧となり、磁気テープＴを切込み溝３３の方へ押す力が発生する。従って、走行中の磁気テープＴは幅方向への移動が抑制され、磁気テープＴがそのエッジをエッジ位置規制部、すなわち、図７に示すベース部４２の上面４４やガイド押さえ４９の挟持部４９ｓの下面４３に接触して走行しエッジを損傷するような事態を防ぐことができる。
【００５３】
上記の厚板状の多孔質ガイド４７Ｐの架け面４８に形成した切込み溝３３の長さは、例えば実施例２における円筒状の非多孔質ガイド１７Ｎの周面２６に形成された切込み溝３２と比較して、溝の深さが一定である部分の長さが大であり、その全長にわたって磁気テープを切込み溝３３の方へ押す力が均等に生ずるので、走行中の磁気テープのエッジ位置を格段に安定化させる。
【００５４】
以上、本発明の磁気テープのガイド方式を実施例によって説明したが、勿論、本発明はこれらに限られることなく、本発明の技術的思想に基づいて種々の変形が可能である。
【００５５】
例えば実施例２においては、図４に示したように、非多孔質ガイド１７Ｎの周面に 磁気テープＴの走行方向へ向かって間隔が広げられた２本の切込み溝３２を設けたが、これを図３−Ｄに示した平行な２本の切込み溝３２としてもよい。２本の切込み溝３２は非多孔質ガイド１７Ｎの周面２６上の磁気テープＴの両エッジそれぞれの内側に対応する部分に形成される。この場合、磁気テープＴの下方となっている平行は２本の切込み溝３２内へ吹き込む空気によって磁気テープＴを切込み溝３２の方へ押す力Ｆ2 が発生するが、その力Ｆ2 は、磁気テープＴの両エッジに近い部分に作用するので、走行中の磁気テープのエッジ位置を効果的に安定化させる。
【００５６】
また実施例２においては、磁気テープＴの走行方向へ向かって間隔が広げられた２本の切込み溝３２内に磁気テープＴの走行方向と同様な方向に向かう空気流を形成させたが、実施例２の図５に対応する図８に示すように、実施例２とは逆方向に空気を吹き込み、磁気テープＴの走行方向とは逆方向の空気流Ｂ’を形成させても、走行中の磁気テープＴの幅方向への移動を防ぐことができる。
【００５７】
また実施例１、実施例２、実施例３においては円筒状の非多孔質ガイド１７Ｎによるガイド方式を示したが、その非多孔質ガイド１７Ｎは多孔質ガイドによって置き換えてもよく同等な効果が得られる。また実施例４においては、厚板状の多孔質ガイド４７Ｐによるガイド方式を示したが、同様に、その多孔質ガイド４７Ｐは非多孔質ガイドによって置き換えてもよく同等な効果が得られる。
【図面の簡単な説明】
【００５８】
【図１】実施例１による磁気テープのガイド方式を示す図であり、図１−Ａはエアガイドの側面図、図１−Ｂは同エアガイドのガイド部分の拡大斜視図である。
【図２】図１−Ｂに示したガイドの横断面図である。
【図３】ガイドの周面に形成させる円周溝、または切込み溝を例示する図である。
【図４】実施例２による磁気テープのガイド方式に使用されているエアガイドのガイド部分の拡大斜視図である。
【図５】図４に示したガイドの横断面図である。
【図６】実施例３による磁気テープのガイド方式に使用されているエアガイドのガイド部分の拡大斜視図である。
【図７】実施例３による磁気テープのガイド方式に使用されているエアガイドのガイド部分の拡大斜視図である。
【図８】変形例の空気吹き込み機構を示す横断面図である。
【図９】従来例による磁気テープのガイド方式に使用されているエアガイドを示す図であり、図９−Ａは同エアガイドの斜視図、図９−Ｂは同エアガイドの分解斜視図である。
【図１０】エアガイドにおいて空気を吹き出して磁気テープを浮上させるガイド部分の縦断面図であり、図１０−Ａは多孔質ガイド、図１０−Ｂは非多孔質ガイドの断面を示す。
【符号の説明】
【００５９】
１０・・・実施例１のエアガイド、１２・・・ベース部、１７Ｐ・・・多孔質ガイド、１７Ｎ・・・非多孔質ガイド、１９・・・ガイド押さえ、２０・・・実施例２のエアガイド、３０・・・実施例３のエアガイド、３１・・・円周溝、３２・・・切込み溝、３３・・・切込み溝、３５・・・空気吹き込み機構、３６・・・吹込み穴、３７・・・空気吹出し部、４０・・・実施例４のエアガイド、Ａ、Ｂ・・・空気流、Ｆ・・・磁気テープを押す力、Ｇ・・・隙間、Ｔ・・・磁気テープ。                 
【図１】
2007052822.tif 000003
【図２】
2007052822.tif 000004
【図３】
2007052822.tif 000005
【図４】
2007052822.tif 000006
【図５】
2007052822.tif 000007
【図６】
2007052822.tif 000008
【図７】
2007052822.tif 000009
【図８】
2007052822.tif 000010
【図９】
2007052822.tif 000011
【図１０】
2007052822.tif 000012